(57)【要約】【課題】動作状態に見合った電力を出来るだけ少ない消費電力で供給できる電源を備えたオーディオ機器を提供する。【解決手段】ボリューム設定手段６により設定されたオーディオ出力のボリュームの設定値が低くなると、昇圧コンバータ２のスイッチング周波数が低くなって、そのスイッチング動作による損失が少なくなり、オーディオ出力の低出力時の省電力化を図れる。記録媒体処理部１８が読出し動作を行っていない時には昇圧コンバータ３のスイッチング周波数が低くなって、そのスイッチング動作による損失が少なくなり、記録媒体処理部１８が読出し動作を行っていない状態の低負荷時の省電力化を図れる。【選択図】      図１
2004343414.tif 000002
【特許請求の範囲】
【請求項１】
所定処理されたオーディオ信号を増幅するオーディオ増幅手段を備えたオーディオ機器において、前記オーディオ増幅手段に電源を供給するスイッチング電源手段のスイッチング周波数を、オーディオ出力のボリュームの設定値に応じて制御するスイッチング周波数制御手段を備えたことを特徴とするオーディオ機器。
【請求項２】
記録媒体に対してオーディオ情報信号を所定処理する記録媒体処理手段と、前記所定処理が記録媒体からオーディオ情報信号を読み出す処理であった場合に前記記録媒体から読み出されたオーディオ情報信号を所定の１ビット信号に変換する１ビット変換手段を有する信号処理手段と、前記変換された１ビット信号をスイッチング増幅するオーディオ増幅手段と、このオーディオ増幅手段を制御することによりオーディオ出力のボリュームの設定値を設定するボリューム設定手段とを備えたオーディオ機器において、前記オーディオ増幅手段に電源を供給する第１のスイッチング電源手段と、前記記録媒体処理手段に電源を供給する第２のスイッチング電源手段と、前記ボリューム設定手段により設定されたオーディオ出力のボリュームの設定値に応じて前記第１のスイッチング電源手段のスイッチング周波数を制御すると共に前記記録媒体処理手段の動作状態に応じて前記第２のスイッチング周波数を制御するスイッチング周波数制御手段とを備えたことを特徴とするオーディオ機器。
【請求項３】
前記スイッチング周波数制御手段は、前記ボリューム設定手段により設定されたオーディオ出力のボリュームの設定値が低い時には前記第１のスイッチング電源手段のスイッチング周波数を低くし、前記ボリュームの設定値が高い時には前記第１のスイッチング電源手段のスイッチング周波数を高くする制御を行うことを特徴とする請求項２に記載のオーディオ機器。
【請求項４】
前記スイッチング周波数制御手段は、前記記録媒体処理手段が記録媒体からオーディオ情報信号を読み出す時、あるいは記録媒体にオーディオ情報信号を書き込む時には、前記第２のスイッチング電源手段のスイッチング周波数を高くし、前記読み出し時あるいは前記書き込み時以外には前記第２のスイッチング電源手段のスイッチング周波数を低くする制御を行うことを特徴とする請求項２に記載のオーディオ機器。
【請求項５】
前記第１，第２のスイッチング電源手段は、電源としての電池から供給される電力を安定化電源として出力し外部入力周波数に同期してスイッチング動作を行う外部同期型ＤＣ−ＤＣコンバータであることを特徴とする請求項２に記載のオーディオ機器。
【請求項６】
前記記録媒体より読み出されて生成される信号はオーディオＰＣＭ信号であり、このオーディオＰＣＭ信号を前記１ビット変換手段により変換した１ビット信号はＰＤＭ信号やＰＷＭ信号であることを特徴とする請求項２に記載のオーディオ機器。
【発明の詳細な説明】
【０００１】
【発明の属する技術分野】
本発明は、携帯型ディスク再生装置や携帯型ディスク記録再生装置あるいは携帯型ラジオなどのオーディオ機器に関し、特に、電源として搭載された電池の電気エネルギーを有効に活用できる機能を有するオーディオ機器に関する。
【０００２】
【従来の技術】
オーディオ機器として用いられる例えば、携帯型ディスク再生装置では、記録媒体であるミニディスク（ＭＤ）よりオーディオＰＣＭ（  Ｐｕｌｓｅ  Ｃｏｄｅ  Ｍｏｄｕｌａｔｉｏｎ  ）  信号を読み出す記録媒体処理部と、前記読み出されたオーディオＰＣＭ信号を例えばオーディオＰＤＭ（Ｐｕｌｓｅ  Ｄｕｒａｔｉｏｎ  Ｍｏｄｕｌａｔｉｏｎ）信号やＰＷＭ  （Ｐｕｌｓｅ  Ｗｉｄｔｈ  Ｍｏｄｕｌａｔｉｏｎ）信号などの１ビット信号に変換する１ビット変換手段を有する信号処理部と、前記変換された１ビット信号をスイッチング増幅するオーディオアンプと、このオーディオアンプを制御することによりオーディオ出力のボリュームを設定するボリューム設定手段とが備えられている。
【０００３】
また、この携帯型ディスク再生装置では、ユーザが携帯して用いるため、装置の電源としては電池が用いられ、この電池を用いた電源回路の出力電圧の安定化を図るため、電源回路はスイッチング電源回路が用いられている。
【０００４】
このようなスイッチング電源回路としては、例えば特許文献１に記載されたＤＣ−ＤＣコンバータが知られている。このＤＣ−ＤＣコンバータは、スイッチングトランスの一次巻線と電圧共振用の第１のコンデンサとによる電圧共振回路と、直流出力電流検出手段と、前記第１のコンデンサに並列に接続された第２のコンデンサを有効にするか否かを前記直流出力電流検出手段の出力により切り換える切換手段とを備え、負荷電流に応じて前記第２のコンデンサの接続を切り換えてスイッチング周波数を変化させている。
【０００５】
即ち、このＤＣ−ＤＣコンバータでは、負荷の電力消費量が大きくなった時に負荷電流を検出し、スイッチング回路のコンデンサを有効にするか否かで、そのスイッチング周波数をステップ的に変化させることにより、負荷電流の変化に対応している。
【０００６】
【特許文献１】
特開平８−１２６３１２号公報
【０００７】
【発明が解決しようとする課題】
しかしながら、上記のような従来のＤＣ−ＤＣコンバータにおいては、スイッチング回路のコンデンサを有効にするか否かでスイッチング周波数を設定しているので、細かいスイッチング周波数の設定が困難である。また、コンデンサを有効にするか否かを行うための周辺回路が必要になる。また、負荷変動を検出してからスイッチング周波数を切り換えるのでは、電圧の安定化が遅れ、機器の動作時に不具合などが出る虞がある。
【０００８】
本発明は、上記のような課題を解決するためになされたもので、動作状態に見合った電力を出来るだけ少ない消費電力で供給できる電源を備えたオーディオ機器を提供することを目的とする。
【０００９】
【課題を解決するための手段】
上記目的を達成するため、本発明は、所定処理されたオーディオ信号を増幅するオーディオ増幅手段を備えたオーディオ機器において、前記オーディオ増幅手段に電源を供給するスイッチング電源手段のスイッチング周波数を、オーディオ出力のボリュームの設定値に応じて制御するスイッチング周波数制御手段を備えたことを特徴とするオーディオ機器を提供する。
【００１０】
この構成においては、オーディオ出力のボリュームの設定値に応じて前記スイッチング電源手段のスイッチング周波数が変化する。例えば、オーディオ出力のボリュームの設定値が高くなると、前記スイッチング電源手段のスイッチング周波数が高くなり、これにより、前記オーディオ増幅手段への電力供給能力が上がり、オーディオ出力の増加に備えることができる。一方、オーディオ出力のボリュームの設定値が低くなると、前記スイッチング電源手段のスイッチング周波数が低くなり、これにより、前記スイッチング電源手段のスイッチング動作による損失が少なくなり、オーディオ出力の低出力時の省電力化を図れる。
【００１１】
即ち、この構成によれば、動作状態に見合った電力を出来るだけ少ない消費電力で供給できる電源を備えたオーディオ機器を提供することができる。特に、電源として電池を用いた場合は、電池を長く使用することができる。
【００１２】
また、本発明は、記録媒体に対してオーディオ情報信号を所定処理する記録媒体処理手段と、前記所定処理が記録媒体からオーディオ情報信号を読み出す処理であった場合に前記記録媒体から読み出されたオーディオ情報信号を所定の１ビット信号に変換する１ビット変換手段を有する信号処理手段と、前記変換された１ビット信号をスイッチング増幅するオーディオ増幅手段と、このオーディオ増幅手段を制御することによりオーディオ出力のボリュームの設定値を設定するボリューム設定手段とを備えたオーディオ機器において、前記オーディオ増幅手段に電源を供給する第１のスイッチング電源手段と、前記記録媒体処理手段に電源を供給する第２のスイッチング電源手段と、前記ボリューム設定手段により設定されたオーディオ出力のボリュームの設定値に応じて前記第１のスイッチング電源手段のスイッチング周波数を制御すると共に前記記録媒体処理手段の動作状態に応じて前記第２のスイッチング周波数を制御するスイッチング周波数制御手段とを備えたことを特徴とするオーディオ機器を提供する。
【００１３】
この構成において、オーディオ出力のボリュームの設定値に応じて前記第１のスイッチング電源手段のスイッチング周波数が変化する。例えば、前記ボリューム設定手段により設定されたオーディオ出力のボリュームの設定値が高くなると、前記第１のスイッチング電源手段のスイッチング周波数が高くなり、これにより、前記オーディオ増幅手段への電力供給能力が上がり、オーディオ出力の増加に備えることができる。一方、オーディオ出力のボリュームの設定値が低くなると、前記第１のスイッチング電源手段のスイッチング周波数が低くなり、これにより、前記第１のスイッチング電源手段のスイッチング動作による損失が少なくなり、オーディオ出力の低出力時の省電力化を図れる。
【００１４】
また、前記記録媒体処理手段の動作状態に応じて前記第２のスイッチング電源手段のスイッチング周波数が変化する。例えば、前記記録媒体処理手段が記録媒体からオーディオ情報信号を読み出す時には、前記第２のスイッチング電源手段のスイッチング周波数が高くなり、これにより、前記記録媒体処理手段への電力供給能力が上がり、前記記録媒体処理手段の読出し動作時に備えることができる。一方前記記録媒体処理手段が読出し動作あるいは書込み動作を行っていない時には、前記第２のスイッチング電源手段のスイッチング周波数が低くなり、これにより前記第２のスイッチング電源手段のスイッチング動作による損失が少なくなり、前記記録媒体処理手段が読出し動作あるいは書込み動作を行っていない状態の低負荷時の省電力化を図れる。
【００１５】
即ち、この構成によれば、動作状態に見合った電力を出来るだけ少ない消費電力で供給できる電源を備えたオーディオ機器を提供することができる。特に、電源として電池を用いた場合は、電池を長く使用することができる。
【００１６】
また、前記スイッチング周波数制御手段は、前記ボリューム設定手段により設定されたオーディオ出力のボリュームの設定値が低い時には前記第１のスイッチング電源手段のスイッチング周波数を低くし、前記ボリュームの設定値が高い時には前記第１のスイッチング電源手段のスイッチング周波数を高くする制御を行うように構成したので、オーディオ出力のボリュームの設定値が高くなると、前記第１のスイッチング電源手段のスイッチング周波数を高くすることができ、一方、オーディオ出力のボリュームの設定値が低くなると、前記第１のスイッチング電源手段のスイッチング周波数を低くすることができる。即ち、前記スイッチング周波数制御手段を設けたことにより、オーディオ出力に応じて供給する電力を調整できるので消費電力の低減を図れる。
【００１７】
また、前記スイッチング周波数制御手段は、前記記録媒体処理手段が記録媒体からオーディオ情報信号を読み出す時、あるいは記録媒体にオーディオ情報信号を書き込む時には前記第２のスイッチング電源手段のスイッチング周波数を高くし、前記読み出し時あるいは前記書き込み時以外には前記第２のスイッチング電源手段のスイッチング周波数を低くする制御を行うように構成したので、前記記録媒体処理手段が記録媒体からオーディオ情報信号を読み出す時、あるいは記録媒体にオーディオ情報信号を書き込む時には、前記第２のスイッチング電源手段のスイッチング周波数を高くすることができ、一方、前記記録媒体処理手段が読出し動作あるいは書込み動作を行っていない時には、前記第２のスイッチング電源手段のスイッチング周波数を低くすることができる。即ち、前記スイッチング周波数制御手段を設けたことにより、前記記録媒体処理手段の動作状態に応じて供給する電力を調整できるので、消費電力の低減を図れる。
【００１８】
また、前記第１，第２のスイッチング電源手段は、電源としての電池から供給される電力を安定化電源として出力し外部入力周波数に同期してスイッチング動作を行う外部同期型ＤＣ−ＤＣコンバータで構成したので、このＤＣ−ＤＣコンバータは外部入力周波数を変えることにより、スイッチング周波数を変えることができ、スイッチング周波数を変えるための回路構成が簡単になり、またスイッチング周波数を細かく、あるいは連続的に変化させることができ、電圧の安定化を素早く行うことが可能になる。
【００１９】
また、前記記録媒体より読み出されて生成される信号はオーディオＰＣＭ信号であり、このオーディオＰＣＭ信号を前記１ビット変換手段により変換した１ビット信号はＰＤＭ信号やＰＷＭ信号である。したがって、前記記録媒体からのオーディオＰＣＭ信号は、ＰＤＭ信号やＰＷＭ信号のような１ビット信号に変換でき、この１ビット信号をスイッチング増幅してオーディオ出力が可能になる。
【００２０】
【発明の実施の形態】
以下、添付図面を参照しつつ、本発明の実施の形態について説明する。図１は本発明の一実施形態に係るオーディオ機器としてのミニディスク再生装置の構成を示すブロック図である。図１において、このミニディスク再生装置は、ミニディスク１７に記録されたオーディオＰＣＭ信号を読み出す記録媒体処理部（記録媒体処理手段）１８、ＲＦアンプ１１、デコーダ／信号処理回路とサーボ回路とオーディオ伸長回路を有するＬＳＩ（信号処理手段）１２、オーディオアンプ（オーディオ増幅手段）１３、スピーカ１６、電源としての電池１、ボリューム設定手段６、第１のスイッチング電源手段としての昇圧コンバータ２、第２のスイッチング電源手段としての昇圧コンバータ３、昇圧コンバータ４、およびスイッチング周波数制御手段１９を有するマイコン（マイクロコンピュータ）５を備えている。
【００２１】
前記記録媒体処理部１８は、ミニディスク１７の記録面に対してレーザビームを照射して、その反射光を受光することにより、ミニディスク１７に記録されたオーディオＰＣＭ信号を検出する光ピックアップ１０と、ミニディスク１７を回転させるスピンドルモータ９と、光ピックアップ１０をミニディスクの半径方向にステップ駆動させるスライドモータ８と、スライドモータ８とスピンドルモータ９と光ピックアップ１０との駆動制御を行う光ピックアップ／モータ駆動回路７とを備えている。
【００２２】
本実施形態の特徴としては、一般的に、昇圧コンバータ（ＤＣ−ＤＣコンバータ）に使用されるコイルとコンデンサの値が一定である場合、その昇圧コンバータのスイッチング周波数が高いほど、負荷に対する電流供給能力が高くなることを利用している。
【００２３】
即ち、オーディオ機器としての例えばミニディスク再生装置において、負荷変動の要因であるオーディオ出力を制御するボリュームの設定値に対応して、外部入力周波数に同期してスイッチング動作を行う外部同期型昇圧コンバータ２のスイッチング周波数を変化させることにより細かな、あるいは連続的なスイッチング周波数の設定ができ、動作状態に見合った電力を出来るだけ少ない消費電力で供給できる電源を設けている。
【００２４】
また、このミニディスク再生装置において、ミニディスク１７からの信号を読み取るために駆動される光ピックアップ／モータ駆動回路７の動作状態を、マイコン５が把握し、外部入力周波数に同期してスイッチング動作を行う外部同期型昇圧コンバータ３のスイッチング周波数を変化させることで、動作状態に見合った電力を出来るだけ少ない消費電力で供給できる電源を設けている。
【００２５】
次に本実施形態のミニディスク再生装置の動作について説明する。ミニディスク（ＭＤ）１７の記録面は、同心円状または螺旋状のトラックを有しており、音声／音楽データなどのオーディオ情報信号は、前記トラックに沿ってデジタル記録されている。また、ミニディスク１７には、音声／音楽データなどのオーディオ情報信号（主情報）以外に、ディスクタイトル名、各トラックタイトル名、および音声／音楽データが格納されているメモリのアドレス情報などを含んだＵ−ＴＯＣ（ｕｓｅｒ  ｔａｂｌｅ  ｏｆ  ｃｏｎｔｅｎｔｓ）情報も記録されている。
【００２６】
ミニディスク１７に記録されたオーディオ情報信号を再生する際、このミニディスク再生装置は、ミニディスク１７をスピンドルモータ９によって一定の線速度あるいは一定の角速度で回転させると共に、光ピックアップ１０をスライドモータ８によってミニディスク１７の半径方向にステップ駆動させる。そして、所定のトラックに位置決めされた光ピックアップ１０から前記トラックに向けてレーザビームを照射し、その反射光の強弱変化を再び光ピックアップ１０で検出することにより前記オーディオ情報信号の読み取りを行う。
【００２７】
ここで、光ピックアップ１０は、レーザ光線を出射する発光素子と、この発光素子からの出射光をミニディスク１７の記録面に導くためのコリメータレンズとビームスプリッタと対物レンズとから成る光学系と、ミニディスク１７の読出しトラックに対するレーザビームのトラッキングとフォーカシングをそれぞれ行うために対物レンズを位置制御する各アクチュエータと、ミニディスク１７からの反射光を検出するフォトディテクタ（何れも図示せず）等から構成されている。この光ピックアップ１０、スライドモータ８、およびスピンドルモータ９の駆動制御は、全て光ピックアップ／モータ駆動回路７によって行っている。
【００２８】
光ピックアップ１０は、ミニディスク１７から読み取ったオーディオ情報信号（圧縮データ）をＲＦアンプ１１に送出する。ＲＦアンプ１１は、前記オーディオ情報信号を増幅してデコーダ／信号処理回路を有するＬＳＩ１２に送出すると共に前記オーディオ情報信号に基づいてトラッキングエラー信号およびフォーカスエラー信号などのようなサーボ制御信号を生成して、ＬＳＩ１２内のサーボ回路に送出する。
【００２９】
このＬＳＩ１２内のサーボ回路は、前記サーボ制御信号やＬＳＩ１２内の信号処理回路からのアドレス信号、およびシステムコントローラ用マイクロコンピュータ（以下マイコンと呼ぶ）５からの制御信号（Ｆ−コントロールＢ）に従って光ピックアップ／モータ駆動回路７を制御することで、トラッキング、フォーカシング、およびディスクスピン等のような各種動作のサーボ制御を行っている。
【００３０】
また、このミニディスク再生装置には、端末の動作電源供給部としての電池１（例えば、乾電池やニッケル水素充電電池）が搭載され、この電池１には、ＤＣ−ＤＣコンバータで実現される昇圧コンバータ２，３，４がＤＣ入力端子２０を介して接続されている。昇圧コンバータ２，３，４のうち、昇圧コンバータ２，３は外部入力周波数（マイコン５からの信号の周波数）に同期して、スイッチング動作を行う外部同期型の昇圧コンバータである。昇圧コンバータ２はオーディオアンプ１３に電力を供給し、昇圧コンバータ３は光ピックアップ／モータ駆動回路７に電力を供給し、また昇圧コンバータ４はＲＦアンプ１１とＬＳＩ１２とマイコン５とに電力を供給する。
【００３１】
一方、ＬＳＩ１２内の信号処理回路は、ＲＦアンプ１１で増幅されたオーディオ情報信号について、アドレス信号の抽出、主信号の復調、誤り訂正といった処理を施す。そして、その処理の済んだオーディオ情報信号をＬＳＩ１２内のオーディオ伸長回路に送出する。このＬＳＩ１２内のオーディオ伸長回路は、ＲＦアンプ１１より入力されたオーディオ情報信号（圧縮データ）を所定のフォーマットに従って時間軸に伸長することで圧縮を解いて、オーディオＰＣＭ信号を生成し、更に、そのオーディオＰＣＭ信号を１ビットオーディオ信号であるオーディオＰＤＭ信号またはオーディオＰＷＭ信号に変換する。
【００３２】
この１ビットオーディオ信号であるオーディオＰＤＭ信号またはオーディオＰＷＭ信号は、オーディオアンプ１３へ送られ、このオーディオアンプ１３でスイッチング増幅され、その後、オーディオアンプ１３内のＬＰＦ（ローパスフィルタ）によりアナログの再生オーディオ信号となってオーディオ出力端子１４，１５より出力され、オーディオ出力端子１４，１５に接続されたスピーカ１６からオーディオ（音声／音楽）が出力される。
【００３３】
第１のスイッチング電源手段としての昇圧コンバータ２は、１ビットオーディオ信号であるオーディオＰＤＭ信号またはオーディオＰＷＭ信号を、オーディオアンプ１３にてスイッチング増幅するための電源（電力）を供給するためのものである。マイコン５は、昇圧コンバータ２，３のスイッチング周波数を制御するスイッチング周波数制御手段１９をも有している。
【００３４】
また、マイコン５は、ミニディスク再生装置のボリュームの設定値がボリューム設定手段６により大きく設定されると、スイッチング増幅するための電源の電圧を高くするため、昇圧コンバータ２のスイッチング周波数を高くし、昇圧コンバータ２の出力電圧を上げるように動作し、一方、ボリュームの設定値が小さく設定されると、その電源の電圧を低くするため、昇圧コンバータ２のスイッチング周波数を低くし、昇圧コンバータ２の出力電圧を下げるように動作する。
【００３５】
即ち、マイコン５のスイッチング周波数制御手段１９は、オーディオ出力を調整するボリューム設定手段６にて設定されたボリュームの設定値が大きい場合には、昇圧コンバータ２のスイッチング周波数を高くし、ボリュームの設定値が小さい場合には、昇圧コンバータ２のスイッチング周波数を低くする。これにより昇圧コンバータ２におけるスイッチング素子の駆動のために必要な電力を削減することができる。
【００３６】
このような動作を行うことによって、結果として、マイコン５が検出した設定値（ボリューム設定手段６にて設定された設定値）に応じた大きさのオーディオ信号がオーディオアンプ１３より出力されることになる。
【００３７】
次に、図２に示すフローチャートを参照して、前記ボリュームの設定値に応じた昇圧コンバータ２のスイッチング周波数変更動作について説明する。
【００３８】
先ず、ステップｍ１にて、マイコン５の初期化処理が済んだ後、ステップｍ２にて、ミニディスク再生装置のボリュームの設定値がボリューム設定手段６で変更されたかどうかを確認する。ボリュームの設定値が変更された場合は、ステップｍ３に移り、変更されなかった場合は、ステップｍ２に戻る。ステップｍ３では、ボリュームの設定値が設定前よりも高くなったかどうかを確認する。ボリュームの設定値が高くなった場合は、ステップｍ５にて、昇圧コンバータ２のスイッチング周波数を、前記高くなったボリュームの設定値に応じて高くし、オーディオアンプ１３への電力供給能力を上げ、オーディオ出力の増加に備える。
【００３９】
逆に、ボリュームの設定値が高くならなかった場合、つまり、ボリュームの設定値がボリューム設定手段６により下げられた場合、ステップｍ４にて昇圧コンバータ２のスイッチング周波数を、前記低くなったボリュームの設定値に応じて低くし、昇圧コンバータ２のスイッチング動作による電力損失を少なくしてミニディスク再生装置の消費電力を低減する。
【００４０】
図４はＦ−コントロールＡの動作を説明するためのグラフを示す図、つまりボリューム設定手段６により設定されるボリュームの設定値と昇圧コンバータ２へのスイッチング周波数との関係を示すグラフである。マイコン５は、例えば図４中のラインＬ１に示すようにボリュームが大きくなるに従ってスイッチング周波数が高くなるように昇圧コンバータ２を制御している。
【００４１】
一方、第２のスイッチング電源手段としての昇圧コンバータ３のスイッチング周波数も、やはり、マイコン５のスイッチング周波数制御手段１９で制御され（Ｆ−コントロールＢで制御され）、ミニディスク１７から信号を読み取る場合のサーボＯＮ時には、昇圧コンバータ３のスイッチング周波数を高くし、信号を読み取る必要の無いサーボＯＦＦ時には、昇圧コンバータ３のスイッチング周波数を低くする。
【００４２】
例えば、図５の表に示すようにサーボＯＮ時は、コントロール周波数（スイッチング周波数）を３００ｋＨｚにし、サーボＯＦＦ時は、コントロール周波数（スイッチング周波数）を１００ｋＨｚにする。これにより、昇圧コンバータ３におけるスイッチング素子の駆動のために必要な電力を、特にミニディスク１７から信号を読み取る必要の無いサーボＯＦＦ時に、消費電力を削減することができる。
【００４３】
次に、図３に示すフローチャートを参照して、記録媒体処理部１８の動作状態に応じた第２のスイッチング電源手段としての昇圧コンバータ３のスイッチング周波数変更動作について説明する。
【００４４】
先ず、ステップｎ１にて、マイコン５の初期化処理が済んだ後、ステップｎ２にて、ミニディスク再生装置がミニディスク１７からの信号を読み取るために、スライドモータ８、スピンドルモータ９、光ピックアップ１０などを起動して、サーボＯＮしたかどうかを確認する。そして、サーボＯＮの状態となった場合は、ステップｎ４に移り、ミニディスク１７からの信号を読み取る必要の無いサーボＯＦＦの場合はステップｎ３に移る。
【００４５】
ステップｎ３では、昇圧コンバータ３のスイッチング周波数を所定値（例えば１００ｋＨｚ）まで低くして、昇圧コンバータ３のスイッチング動作による電力損失を少なくして、ミニディスク再生装置の消費電力を低減する。一方、サーボＯＮの状態となるため、ステップｎ４に移った場合は、サーボＯＦＦ時の低い周波数（例えば１００ｋＨｚ）から高い周波数（例えば３００ｋＨｚ）にスイッチング周波数が移行し、電源の供給能力を上げる。
【００４６】
ところで、昇圧コンバータ３，４は、スイッチング周波数を高くすれば、出力電流を多く流すことができるが、昇圧コンバータ３，４の回路自体の消費電力が大きくなる。一方、スイッチング周波数を下げれば、昇圧コンバータ３，４の回路自体の消費電力は小さくて済むが、出力電流を多く流すことができない。回路を設計する上で、必要とする最大電流を想定して昇圧コンバータ３，４のスイッチング周波数を設定することになるが、出力電流（負荷電流）が少ない時の昇圧コンバータ３，４の回路自体の消費電流が大きいままである。
【００４７】
そこで、本実施形態では、オーディオアンプ１３の動作状態（オーディオ出力のボリュームの設定値）および記録媒体処理部１８の動作状態（ミニディスク１７からのオーディオ情報信号の読出し時であるか否かの状態）に応じて、適切な電流をオーディオアンプ１３および記録媒体処理部１８に供給することができ、特に、負荷の軽い時のミニディスク再生装置の消費電流を下げることができ、省電力化を図ることができる。
【００４８】
なお、上記実施形態では、オーディオ機器として携帯型ミニディスク再生装置に対する省電力化ついて説明したが、それに限らず、携帯型ミニディスク記録再生装置や携帯型ラジオなどにおいても省電力化を図ることができる。また、再生装置や記録再生装置は、ミニディスクなどの光ディスク系を記録媒体として用いるものに限らず、従来からの磁気テープを記録媒体として用いるテープレコーダであっても良い。また、再生装置や記録再生装置あるいはラジオは携帯型に限ることはない。
【００４９】
前記携帯型ミニディスク記録再生装置における記録動作時には、例えば、図１中の記録媒体処理部１８が書込み動作を行うと仮定した場合、ミニディスク１７および光ピックアップ１０が駆動するが、書込みを行っていない時はミニディスク１７および光ピックアップ１０が駆動しないので、この時は第２のスイッチング電源手段である昇圧コンバータ３のスイッチング周波数を低くすることにより、省電力化を図ることができる。また、携帯型ラジオについては、オーディオ出力のボリュームの設定値に応じて第１のスイッチング電源手段である昇圧コンバータ２のスイッチング周波数を変えることにより省電力化を図ることができる。
【００５０】
【発明の効果】
以上のように本発明によれば、所定処理されたオーディオ信号を増幅するオーディオ増幅手段を備えたオーディオ機器において、オーディオ増幅手段に電源を供給するスイッチング電源手段のスイッチング周波数を、オーディオ出力のボリュームの設定値に応じて制御するスイッチング周波数制御手段を備えたので、オーディオ出力のボリュームの設定値が低くなると、スイッチング電源手段のスイッチング周波数を低くでき、これにより、スイッチング電源手段のスイッチング動作による損失が少なくなり、オーディオ出力の低出力時の省電力化を図れる。
【００５１】
また、本発明では、記録媒体に対してオーディオ情報信号を所定処理する記録媒体処理手段と、前記所定処理が記録媒体からオーディオ情報信号を読み出す処理であった場合に記録媒体から読み出されたオーディオ情報信号を所定の１ビット信号に変換する１ビット変換手段を有する信号処理手段と、前記変換された１ビット信号をスイッチング増幅するオーディオ増幅手段と、このオーディオ増幅手段を制御することによりオーディオ出力のボリュームの設定値を設定するボリューム設定手段とを備えたオーディオ機器において、オーディオ増幅手段に電源を供給する第１のスイッチング電源手段と、記録媒体処理手段に電源を供給する第２のスイッチング電源手段と、ボリューム設定手段により設定されたオーディオ出力のボリュームの設定値に応じて第１のスイッチング電源手段のスイッチング周波数を制御すると共に記録媒体処理手段の動作状態に応じて第２のスイッチング周波数を制御するスイッチング周波数制御手段とを備えた。
【００５２】
したがって、本発明によれば、オーディオ出力のボリュームの設定値が低くなると、第１のスイッチング電源手段のスイッチング周波数を低くでき、これにより、第１のスイッチング電源手段のスイッチング動作による損失が少なくなり、オーディオ出力の低出力時の省電力化を図れる。
【００５３】
また、記録媒体処理手段の動作状態に応じて第２のスイッチング電源手段のスイッチング周波数を変化させることができる。例えば、記録媒体処理手段が読出し動作あるいは書込み動作を行っていない時には、第２のスイッチング電源手段のスイッチング周波数を低くでき、これにより第２のスイッチング電源手段のスイッチング動作による損失が少なくなり、記録媒体処理手段が読出し動作あるいは書込み動作を行っていない状態の低負荷時の省電力化を図れる。
【００５４】
即ち、これらの発明によれば、動作状態に見合った電力を出来るだけ少ない消費電力で供給できる。特に、電源として電池を用いた場合は、電池を長く使用することができる。
【図面の簡単な説明】
【図１】本発明の一実施形態に係るオーディオ機器としてのミニディスク再生装置の構成を示すブロック図である。
【図２】前記実施形態のミニディスク再生装置においてボリュームに応じた昇圧コンバータのスイッチング周波数変更動作を説明するためのフローチャートである。
【図３】前記実施形態のミニディスク再生装置において記録媒体処理部の動作状態に応じた昇圧コンバータのスイッチング周波数変更動作を説明するためのフローチャートである。
【図４】前記実施形態のミニディスク再生装置においてマイコンから昇圧コンバータへのＦ−コントロールＡの動作例を説明するための図である。
【図５】前記実施形態のミニディスク再生装置においてマイコンから昇圧コンバータへのＦ−コントロールＢの動作例を説明するための図である。
【符号の説明】
１    電池
２    昇圧コンバータ（第１のスイッチング電源手段）
３    昇圧コンバータ（第２のスイッチング電源手段）
６    ボリューム設定手段
１２    ＬＳＩ（信号処理手段）
１３    オーディオアンプ（オーディオ増幅手段）
１７    ミニディスク（記録媒体）
１８    記録媒体処理部（記録媒体処理手段）
１９    スイッチング周波数制御手段
【図１】
2004343414.tif 000003
【図２】
2004343414.tif 000004
【図３】
2004343414.tif 000005
【図４】
2004343414.tif 000006
【図５】
2004343414.tif 000007